(57)【要約】【課題】組立及び物品収納作業の容易化を図ると共に、保形用ロックの外れを防止し、また、積みずれ防止効果が確実に得られるようにする。【解決手段】底壁１の周囲にコーナー部を挟んで側壁２及び端壁３を連設し、二重の端壁３とその側端に繋がる抱持壁７とを共に巻き込むように折り曲げて屈曲させ、抱持壁７の抱板８，９の間に側壁２の端部を挟み込んで、側壁２及び端壁３の起立状態を維持する厚紙製トレイにおいて、外側の抱板８の先端側下部に折曲部１６を介して設けた差込片１４を、底壁１と側壁２の稜部に設けた差込穴１５に差し込んでロックするものとし、差込穴１５の係止縁１５ａを、組立状態で水平となる底壁１の端辺に対して、端壁３側が上がる方向へ傾斜させる。積みずれ防止のため、折曲部１６の２本の折目線１６ｂ、１６ｃに挟まれた部分が差込片１４に対して斜めに折れ曲がるようにする。【選択図】図３
2015016874.tif 000002
【特許請求の範囲】
【請求項１】
底壁(1)の周囲にコーナー部を挟んで側壁(2)及び端壁(3)を連設し、端壁(3)を二重の端板(4,5)及び端頂板(6)により形成し、端壁(3)の側端に抱持壁(7)を連設して、抱持壁(7)を端板(4,5)及び端頂板(6)からそれぞれ延びる二重の抱板(8,9)及び抱頂板(10)により形成し、端壁(3)と抱持壁(7)とを共に巻き込むように折り曲げ、コーナー部を形成するように屈曲させ、抱持壁(7)の抱板(8,9)の間に側壁(2)の端部を挟み込んで、側壁(2)及び端壁(3)の起立状態を維持する厚紙製トレイにおいて、
前記抱持壁(7)の外側の抱板(8)には、その先端側下部に折曲部(16)を介して差込片(14)を突設し、底壁(1)と側壁(2)の稜部に差込穴(15)を設け、側壁(2)の下部に位置する差込穴(15)の端縁を係止縁(15a)とし、側壁(2)の外側に抱板(8)を沿わせ、差込片(14)を折曲部(16)を基軸として折り曲げ、係止縁(15a)に当接させつつ差込穴(15)に差し込んで、組立状態のロックとし、前記差込穴(15)の係止縁(15a)を、組立状態で水平となる底壁(1)の端辺に対して、端壁(3)側が上がる方向へ傾斜させたことを特徴とする厚紙製トレイ。
【請求項２】
請求項１に記載の厚紙製トレイにおいて、前記側壁(2)の上端辺中間部に凸部(2b)を設け、段積みに際し、下段側となるトレイの対向する側壁(2)の凸部(2b)の間に、上段側となるトレイの側壁(2)の下部を嵌め込むと、下段側トレイの側壁(2)の凸部(2b)の端縁と上段側トレイの外側の抱板(8)の端縁とが当接して、積みずれが防止されるようにし、
前記抱板(8)と差込片(14)の境界の折曲部(16)には、切目(16d)を入れて、切目(16d)より端壁(3)側に１本の折目線(16a)を、端部側に２本の折目線(16b,16c)をそれぞれ入れ、差込片(14)を差込穴(15)に差し込む際、この２本の折目線(16b,16c)に挟まれた部分が差込片(14)に対して斜めに折れ曲がり、段積み状態で、下段側トレイの側壁(2)の凸部(2b)の端縁に当接することを特徴とする厚紙製トレイ。
【発明の詳細な説明】
【技術分野】
【０００１】
この発明は、段ボール等の厚紙を材料として組み立てられ、物品の運搬や保管に使用されるトレイに関するものである。
【背景技術】
【０００２】
例えば、農産物の運搬に使用される段ボール製トレイは、偏平なブランクの状態で農産物の集積拠点に納品され、その集積拠点で組み立てられて、農産物が収納された後、市場等へ出荷される。この出荷に使用されるトレイとして、下記特許文献１においては、図７に示すようなものが提案されている。
【０００３】
このトレイは、底壁５１の周囲にコーナー部を挟んで側壁５２及び端壁５３を連設し、端壁５３を、外側及び内側となる端板５４，５５及びその頂部に位置する端頂板５６を備えた二重構造とし、側壁５２と端板５４の側端同士をコーナー部で繋ぐ折込片６１を斜めの折目線６１ａに沿って折り込みつつ、側壁５２及び端壁５３を起立させ、端壁５３を巻き込むように折り曲げて構成される。
【０００４】
上記トレイでは、端板５４の上端両側部から扇形状の桟板６２が延出され、桟板６２の外側端から抱板６３が延出されている。また、抱板６３の下端に折目線を介して差込片６４が突設され、底壁５１と側壁５２の稜部に差込穴６５が設けられている。
【０００５】
そして、桟板６２を内側水平方向へ折り曲げ、抱板６３を下方へ折り曲げて側壁５２の外側に沿わせ、差込片６４を折目線を基軸として内側へ折り曲げ、差込穴６５に差し込むと、差込片６４の基部が側壁５２の下部に位置して係止縁として作用する差込穴６５の端縁に圧接し、この差込がロックとなって、組立形状が保持される。
【０００６】
なお、差込片６４の折り曲げの基軸となる折目線と、差込穴６５の係止縁とは、底壁５１の端辺と同様、組立状態で水平となっている。
【０００７】
また、側壁５２の上端辺の中間部には、凸部５２ｂが設けられ、段積みに際し、下段側となるトレイの対向する側壁５２の凸部５２ｂの間に、上段側となるトレイの側壁５２の下部を嵌め込むと、下段側トレイの側壁５２の凸部５２ｂと上段側トレイの抱板６３の端縁同士が当接して、積みずれが防止される。
【先行技術文献】
【特許文献】
【０００８】
【特許文献１】特開２００３−１１９５１号公報
【発明の概要】
【発明が解決しようとする課題】
【０００９】
しかしながら、上記のような厚紙製トレイでは、組み立てに際し、折込片６１を斜めの折目線６１ａに沿って折り込みつつ、側壁５２と端板５４とを同時に起立させる必要があり、比較的組み立てに手間がかかるほか、物品の収納に際し、桟板６２を跳ね上げておかなければならない場合がある。
【００１０】
また、物品の運搬等に際し、端壁５３に外側へ倒れるような力が作用すると、差込片６４と差込穴６５の係止縁との接触圧が不均一となって、差込穴６５から差込片６４が抜けやすくなるという問題がある。
【００１１】
そのほか、抱板６３が折目の反発等により側壁５２から外側へ浮き上がるように離れると、段積みしたとき、下段側トレイの凸部５２ｂの端縁と上段側トレイの抱板６３の端縁とが係合しなくなり、積みずれ防止効果が十分に得られなくなることがある。
【００１２】
そこで、この発明は、組立及び物品収納作業の容易化を図ると共に、保形用ロックの外れを防止し、また、積みずれ防止効果が確実に得られるようにすることを課題とする。
【課題を解決するための手段】
【００１３】
上記課題を解決するため、この発明は、底壁の周囲にコーナー部を挟んで側壁及び端壁を連設し、端壁を二重の端板及び端頂板により形成し、端壁の側端に抱持壁を連設して、抱持壁を端板及び端頂板からそれぞれ延びる二重の抱板及び抱頂板により形成し、端壁と抱持壁とを共に巻き込むように折り曲げ、コーナー部を形成するように屈曲させ、抱持壁の抱板の間に側壁の端部を挟み込んで、側壁及び端壁の起立状態を維持する厚紙製トレイにおいて、前記抱持壁の外側の抱板には、先端側下部に折曲部を介して差込片を突設し、底壁と側壁の稜部に差込穴を設け、側壁の下部に位置する差込穴の端縁を係止縁とし、側壁の外側に抱板を沿わせ、差込片を折曲部を基軸として折り曲げ、係止縁に当接させつつ差込穴に差し込んで、組立状態のロックとし、前記差込穴の係止縁を、組立状態で水平となる底壁の端辺に対して、端壁側が上がる方向へ傾斜させたのである。
【００１４】
また、前記側壁の上端辺中間部に凸部を設け、段積みに際し、下段側となるトレイの対向する側壁の凸部の間に、上段側となるトレイの側壁の下部を嵌め込むと、下段側トレイの側壁の凸部の端縁と上段側トレイの外側の抱板の端縁とが当接して、積みずれが防止されるようにし、前記抱板と差込片の境界の折曲部には、切目を入れて、切目より端壁側に１本の折目線を、端部側に２本の折目線をそれぞれ入れ、差込片を差込穴に差し込む際、この２本の折目線に挟まれた部分が差込片に対して斜めに折れ曲がり、段積み状態で、下段側トレイの側壁の凸部の端縁に当接するようにしたのである。
【発明の効果】
【００１５】
この発明に係る厚紙製トレイでは、端壁の側端に、二重の抱板及び抱頂板を有する抱持壁を連設したので、底壁から端壁を起立させる際、端壁から屈曲させた抱持壁の抱板の間に側壁の端部を挟み込むだけで、簡単に基本形状に組み立てることができる。
【００１６】
そして、差込穴の係止縁を、組立状態で水平となる底壁の端辺に対して、端壁側が上がる方向へ傾斜させたので、物品の運搬等に際し、端壁に外側へ倒れるような力が作用しても、差込片と差込穴の係止縁とが略均一の圧力で接触し、差込片が差込穴から抜けてロックが外れる現象が防止される。
【００１７】
また、段積みしたとき、下段側トレイの側壁の凸部の端縁と、上段側トレイの差込片の基部側の２本の折目線に挟まれた傾斜部分の端縁とが比較的大きな面積にわたって当接するので、積みずれ防止効果が十分に得られる。
【図面の簡単な説明】
【００１８】
【図１】この発明の実施形態に係る厚紙製トレイのブランクを示す図
【図２】同上の組立過程を示す斜視図
【図３】同上の組立状態を示す斜視図
【図４】同上のロックの（ａ）差込過程及び（ｂ）差込状態を示す部分拡大斜視図
【図５】図４（ｂ）のＶ−Ｖ線に沿った断面図
【図６】同上の段積み状態を示す斜視図
【図７】従来の厚紙製トレイの組立状態を示す斜視図
【発明を実施するための形態】
【００１９】
以下、この発明の実施形態を添付図面に基づいて説明する。
【００２０】
このトレイは、図１に示すような段ボールのブランクから形成される。このブランクでは、長方形状の底壁１の周囲各辺のうち、一対の長辺には側壁２が、他対の短辺には端壁３がそれぞれ連設され、端壁３は、底壁１側から順次配置された端板４，５及びその間に挟まれた端頂板６により形成されている。
【００２１】
端壁３の側端には、抱持壁７が連設され、抱持壁７は、各端板４，５及び端頂板６からそれぞれ延びて互いに繋がった抱板８，９及び抱頂板１０により形成されている。抱板９の組立時に下側となる角部端縁は、組立時に側壁２の端部との干渉を回避するため、弧状に切断されている。
【００２２】
抱持壁７には、抱板８，９及び抱頂板１０に跨る切込を入れて係止爪１１が形成され、係止爪１１には、抱頂板１０の幅方向の中間部に対応する位置及び抱板９側の端部に折目が入れられている。
【００２３】
係止爪１１の端壁３側の端縁は、抱頂板１０側が端壁３から離れる方向へ傾斜し、この端縁に臨むように、抱板９から抱頂板１０にかけて、扇状に開口した確認窓１２が設けられている。
【００２４】
側壁２には、組立時に上端となる端縁の両側部分を切り欠いて、端部側が高くなる係止段部２ａが形成され、係止段部２ａの端縁は、組立時の上端側が迫り出すように傾斜している。側壁２の両側端縁は、組立時に抱板９との干渉を回避するため、弧状に切断され、側壁２の上端となる端縁の中間部分には、凸部２ｂが設けられている。
【００２５】
端板５と抱板９の境界部には、谷折りされる折目線を挟んで、その両側に山折りされる折目線が入れられると共に、端壁３から抱持壁７を屈曲させる際、折曲抵抗を軽減するため、逃穴１３が設けられている。
【００２６】
また、抱板８の先端部の組立時に下端となる端縁には、折曲部１６を介して差込片１４が突設され、差込片１４は、先端側から基部側へテーパー状に幅が広がり、基部両側に凹部を有する形状とされている。
【００２７】
折曲部１６には、切目１６ｄが入れられ、切目１６ｄより端壁３側に１本の折目線１６ａが、端部側に２本の折目線１６ｂ，１６ｃがそれぞれ入れられている。
【００２８】
底壁１と側壁２の稜部には、差込片１４に対応して、側壁２の下部に差込穴１５が設けられ、組立状態で上方となる差込穴１５の端縁は、係止縁１５ａとされている。
【００２９】
差込穴１５の係止縁１５ａは、組立状態で水平となる底壁１の端辺に対して、端壁３側が上がる方向へ傾斜している。差込片１４の基部側の折曲部１６に入れた折目線１６ａ，１６ｃもまた、組立状態で水平となる底壁１の端辺に対して、端壁３側が上がる方向へ傾斜し、折目線１６ｂ，１６ｃは、折目線１６ａ側から抱板８の端縁側へかけて、テーパー状に間隔が広がっている（図４参照）。
【００３０】
上記のようなブランクを組み立てるには、図２に示すように、底壁１から側壁２を起立させ、端壁３と抱持壁７とを、端板４及び抱板８が外側となり、端板５及び抱板９が内側となる方向へ巻き込むように折り曲げる。
【００３１】
このように折り曲げて、二重構造の端壁３及び抱持壁７を形成する際、抱頂板１０と抱板８，９の境界の折目と、抱頂板１０の幅方向の中間部に位置する係止爪１１の折目とのずれにより、係止爪１１が山形に折れ曲がる。
【００３２】
次に、端壁３と抱持壁７とを、コーナー部を形成するように屈曲させ、底壁１から端壁３を起立させて、抱持壁７の抱板８，９の間に側壁２の端部を挟み込む。
【００３３】
そして、図３に示すように、端壁３を直立させると、係止爪１１の端壁３側の端縁と係止段部２ａの端縁とが当接することにより係合し、また、これらの端縁の傾斜により、端縁同士が食い込むように噛み合って、側壁２及び端壁３の起立状態が維持される。
【００３４】
このとき、確認窓１２に係止爪１１の端壁３側の端縁が臨み、係止段部２ａの端縁が確認窓１２から見えることから、係止爪１１と係止段部２ａの係合状態を、確認窓１２を介して確認することができ、係合が不十分な場合、抱持壁７を押し下げることにより、確実に係合させることができる。
【００３５】
その後、図４に示すように、トレイを組立形状に確実に保持するロックとして、差込片１４を、折曲部１６の折目線１６ａ，１６ｂ，１６ｃを基軸として折り曲げ、係止縁１５ａに当接させつつ差込穴１５に差し込むと、折曲部１６の２本の折目線１６ｂ，１６ｃに挟まれた部分が差込片１４に対して斜めに折れ曲がり、差込片１４の基部両側の凹部が差込穴１５の両端縁に係合する。
【００３６】
上記のような段ボール製トレイでは、端壁３の側端に、二重の抱板８，９及び抱頂板１０を有する抱持壁７を連設したので、底壁１から端壁３を起立させる際、端壁３から屈曲させた抱持壁７の抱板８，９の間に側壁２の端部を挟み込むだけで、簡単に基本形状に組み立てることができる。
【００３７】
そして、差込穴１５の係止縁１５ａを、組立状態で水平となる底壁１の端辺に対して、端壁３側が上がる方向へ傾斜させたので、物品の運搬に際し、端壁３に外側へ倒れるような力が作用しても、差込片１４と差込穴１５の係止縁１５ａとが略均一の圧力で接触し、差込片１４が差込穴１５から抜けてロックが外れる現象が防止される。この作用には、差込片１４の基部側の折曲部１６に入れた折目線１６ａ，１６ｃも寄与している。
【００３８】
また、図６に示すように、段積みする場合、下段側となるトレイの対向する側壁２の凸部２ｂの間に、上段側となるトレイの側壁２の下部を嵌め込むと、上下のトレイの幅方向への移動が凸部２ｂで規制され、長さ方向への移動が側壁２の凸部２ｂの端縁と抱板８の端縁との当接により規制されるので、積みずれによる荷崩れが防止される。
【００３９】
このとき、抱持壁７における折目の反発等により、抱板８が側壁２から外側へ浮き上がるように離れても、下段側トレイの側壁２の凸部２ｂの端縁と、上段側トレイの差込片１４の基部側の２本の折目線１６ｂ，１６ｃに挟まれた傾斜部分の端縁とが比較的大きな面積にわたって当接するので、積みずれ防止効果が十分に得られる。
【００４０】
なお、上記実施形態では、組立形状のロック機構として、係止爪１１と係止段部２ａとを係合させる構成を備えたものを例示したが、この構成を省略し、差込片１４を差込穴１５に差し込む構成のみで保形するようにしてもよい。
【００４１】
また、周壁が四角筒状をなすトレイについて例示したが、コーナー部に面取り状の傾斜部分を有するトレイにおいても、同様の構成を適用することができる。
【符号の説明】
【００４２】
１  底壁
２  側壁
２ａ  係止段部
２ｂ  凸部
３  端壁
４，５  端板
６  端頂板
７  抱持壁
８，９  抱板
１０  抱頂板
１１  係止爪
１２  確認窓
１３  逃穴
１４  差込片
１５  差込穴
１５ａ  係止縁
１６  折曲部
１６ａ，１６ｂ，１６ｃ  折目線
１６ｄ  切目
【図１】
2015016874.tif 000003
【図２】
2015016874.tif 000004
【図３】
2015016874.tif 000005
【図４】
2015016874.tif 000006
【図５】
2015016874.tif 000007
【図６】
2015016874.tif 000008
【図７】
2015016874.tif 000009